(57)【要約】【課題】冷房兼用機及び冷房専用機の両方の製造に関する全体のコストを低減しつつ、冷房専用機の製造に関するコストも低減することが目的とされる。【解決手段】アダプタは、次の装置において、四方切替弁に代えて接続されるものである。かかる装置は、圧縮機と、第１及び第２の熱交換器と、第１乃至第４の配管５１〜５４と、四方切替弁とを備える。第１乃至第４の配管５１〜５４は、それぞれの一端が圧縮機の吸入口、第１の熱交換器、圧縮機の吐出口、第２の熱交換器に接続されている。そしてアダプタは、一体化されている第１及び第２の管２１，２２を備える。第１の管２１は、第１及び第２の配管５１，５２のそれぞれの他端５１２，５２２のみを接続する。第２の管２２は、第３及び第４の配管５３，５４のそれぞれの他端５３２，５４２のみを接続する。【選択図】図３
2009236473.tif 000002
【特許請求の範囲】
【請求項１】
吸入口（１１）と吐出口（１２）とを有する圧縮機（１）と、凝縮器及び蒸発器のいずれか一方として機能する第１の熱交換器（６１）と、凝縮器及び蒸発器のいずれか一方として前記第１の熱交換器と相補的に機能する第２の熱交換器（６２）と、それぞれの一端（５１１，５２１，５３１，５４１）が前記吸入口、前記第１の熱交換器、前記吐出口、前記第２の熱交換器に接続されている第１乃至第４の配管（５１〜５４）と、前記第１及び前記第２の配管のそれぞれの他端（５１２，５２２）を接続しつつ前記第３及び前記第４の配管のそれぞれの他端（５３２，５４２）を接続する態様と、前記第１及び前記第４の配管のそれぞれの前記他端（５１２，５４２）を接続しつつ前記第２及び前記第３の配管のそれぞれの前記他端（５２２，５３２）を接続する態様とを選択的に実行可能な切替部（８）とを備える装置において、前記切替部に代えて接続されるアダプタ（２）であって、
前記第１及び前記第２の配管のそれぞれの前記他端（５１２，５２２）のみを接続する第１の管（２１）と、
前記第３及び前記第４の配管のそれぞれの前記他端（５３２，５４２）のみを接続する第２の管（２２）と
を備え、
前記第１及び前記第２の管は一体化されている、
アダプタ。
【発明の詳細な説明】
【技術分野】
【０００１】
本発明はアダプタに関し、特に冷房専用機に用いるものに関する。
【背景技術】
【０００２】
冷暖兼用機の他に、冷房専用機が製造されている。冷暖兼用機及び冷房専用機のいずれを製造する場合であっても、コストや機能が最適となるように、配管設計が行われている。
【０００３】
しかし、冷暖兼用機及び冷房専用機のそれぞれを最適な状態にするためには、それぞれで異なる配管設計を行う必要がある。しかも、冷房専用機は、冷暖兼用機に比べて需要が小さい。このため、冷房兼用機及び冷房専用機の両方の製造に関する全体のコストは増大していた。
【０００４】
そこで従来から、冷暖兼用機と冷房専用機とで配管設計を共通化する技術が提案されている。具体的には、冷暖兼用機と同じ配管設計及び四方切替弁を、冷房専用機でも用いる。そして、四用切替弁を冷房運転時の状態に切り替えたままで冷房専用機を運転する。これにより、冷房兼用機と冷房専用機とで同じ配管設計を用いることができる。
【０００５】
なお、本発明に関連する特許文献を以下に示す。
【特許文献１】特開２００３−２８５４４号公報
【発明の開示】
【発明が解決しようとする課題】
【０００６】
しかし、四方切替弁を冷房専用機に設けることで、冷房兼用機及び冷房専用機の両方の製造に関する全体のコストは低減されるものの、冷房専用機では、四方切替弁は本来の目的で使用されることがないので、冷房専用機の製造に関するコストは増大する。
【０００７】
本発明は上述した事情に鑑みてなされたものであり、冷房兼用機及び冷房専用機の両方の製造に関する全体のコストを低減しつつ、冷房専用機の製造に関するコストも低減することが目的とされる。
【課題を解決するための手段】
【０００８】
本発明にかかるアダプタは、次の装置において、切替部に代えて接続されるものである。かかる装置は、圧縮機と、第１及び第２の熱交換器と、第１乃至第４の配管と、切替部とを備える。圧縮機は、吸入口と吐出口とを有する。第１の熱交換器は、凝縮器及び蒸発器のいずれか一方として機能する。第２の熱交換器は、凝縮器及び蒸発器のいずれか一方として第１の熱交換器と相補的に機能する。第１乃至第４の配管は、それぞれの一端が吸入口、第１の熱交換器、吐出口、第２の熱交換器に接続されている。切替部は、第１及び第２の配管のそれぞれの他端を接続しつつ第３及び第４の配管のそれぞれの他端を接続する態様と、第１及び第４の配管のそれぞれの他端を接続しつつ第２及び第３の配管のそれぞれの他端を接続する態様とを選択的に実行することができる。
【０００９】
そしてアダプタは、一体化されている第１及び第２の管を備える。第１の管は、第１及び第２の配管のそれぞれの他端のみを接続する。第２の管は、第３及び第４の配管のそれぞれの他端のみを接続する。
【発明の効果】
【００１０】
本発明にかかるアダプタによれば、アダプタを取り付けた装置（冷房専用機）の配管設計が、切替部（四方切替弁）を取り付けた装置（冷暖兼用機）の配管設計と同じで良く、配管設計を共通化することができる。よって、切替部に代えてアダプタを取り付けるだけで、冷房専用機を得ることができる。このため、冷暖兼用機及び冷房専用機の両方の製造に関する全体のコストを低減することができる。しかも、冷房専用機に関しては、安価で製造可能なアダプタを用いるので、冷房専用機の製造に関するコストも低減される。
【００１１】
更に冷房専用機に関して、第１及び第２の管が一体化されているので、第１乃至第４の配管の自由度が減少する。よって、第１乃至第４の配管について、圧縮機や第１及び第２の熱交換器で生じる振動に対する強度を高めることができる。
【発明を実施するための最良の形態】
【００１２】
図１は、四方切替弁８を備える装置である冷暖兼用機１００を概念的に示す図である。図２は、本発明の実施の形態にかかるアダプタ２を備える装置である冷房専用機１０１を概念的に示す図である。冷房専用機１０１は、冷暖兼用機１００の配管設計をそのまま用いつつ、四方切替弁８に代えてアダプタ２を接続することで得られる。
【００１３】
まず、図１に示される冷暖兼用機１００について具体的に説明する。冷暖兼用機１００は、圧縮機１、第１及び第２の熱交換器６１，６２、膨張機構３、第１乃至第４の配管５１〜５４、及び四方切替弁８を備える。
【００１４】
圧縮機１は、吸入口１１と吐出口１２とを有し、吸入口１１から吸入された冷媒を圧縮して、吐出口１２から排出する。
【００１５】
第１の熱交換器６１は、凝縮器及び蒸発器のいずれか一方として機能する。第２の熱交換器６２は、凝縮器及び蒸発器のいずれか一方として第１の熱交換器６１と相補的に機能する。例えば、第１の熱交換器６１が蒸発器として機能する場合には、第２の熱交換器６２は凝縮器として機能する。他方、第１の熱交換器６１が凝縮器として機能する場合には、第２の熱交換器６２は蒸発器として機能する。
【００１６】
膨張機構３は、第１の熱交換器６１と第２の熱交換器６２との間に接続されている。そして、膨張機構３は、第１及び第２の熱交換器６１，６２のいずれか一方から他方へと流れる冷媒を膨張する。
【００１７】
第１の配管５１は、その一端５１１が吸入口１１に接続されている。第２の配管５２は、その一端５２１が第１の熱交換器６１の一端６１１に接続されている。第３の配管５３は、その一端５３１が吐出口１２に接続されている。第４の配管５４は、その一端５４１が第２の熱交換器６２の一端６２１に接続されている。
【００１８】
四方切替弁８は、第１乃至第４の配管５１〜５４のそれぞれの他端５１２〜５４２の接続関係を、態様Ａと態様Ｂとの間で選択的に切り替えることができる。
【００１９】
態様Ａでの四方切替弁８は、第１及び第２の配管５１，５２のそれぞれの他端５１２，５２２を接続しつつ、第３及び第４の配管５３，５４のそれぞれの他端５３２，５４２を接続する。他方、態様Ｂでの四方切替弁８は、第１及び第４の配管５１，５４のそれぞれの他端５１２，５４２を接続しつつ、第２及び第３の配管５２，５３のそれぞれの他端５２２，５３２を接続する。
【００２０】
四方切替弁８を態様Ａに切り替えることで、冷媒は矢印１１１の方向へと流れる。すなわち、圧縮機１、第２の熱交換器６２、膨張機構３、及び第１の熱交換器６１を、この順に冷媒が流れる。これにより、第１の熱交換器６１は蒸発器として機能し、第２の熱交換器６２は凝縮器として機能する。よって、第１の熱交換器６１が、利用側の熱交換器として例えば室内機内に設けられている場合には、冷暖兼用機１００では冷却運転が実行される。
【００２１】
他方、四方切替弁８を態様Ｂに切り替えることで、冷媒は矢印１１２の方向へと流れる。すなわち、圧縮機１、第１の熱交換器６１、膨張機構３、及び第２の熱交換器６２を、この順に冷媒が流れる。これにより、第１の熱交換器６１は凝縮器として機能し、第２の熱交換器６２は蒸発器として機能する。よって、第１の熱交換器６１が、利用側の熱交換器として例えば室内機内に設けられている場合には、冷暖兼用機１００では暖房運転が実行される。
【００２２】
次に、四方切替弁８に代えて接続されるアダプタ２について説明する。図３は、アダプタ２を具体的に示した斜視図である。アダプタ２は、第１及び第２の管２１，２２を備える。
【００２３】
第１の管２１は、第１及び第２の配管５１，５２のそれぞれの他端５１２，５２２のみを接続する。第２の管２２は、第３及び第４の配管５３，５４のそれぞれの他端５３２，５４２のみを接続する。
【００２４】
そして、第１及び第２の管２１，２２は一体化されている。具体的には図３に示されるように、第１及び第２の管２１，２２の固定用の板４１に、第１及び第２の管２１，２２の両方を留め具４２で固定する。板４１には、例えば金属板が採用される。留め具４２には、例えばクランプが採用される。その他、ロウ付けや溶接、ネジ止め等で、第１及び第２の管２１，２２を板４１に固定しても良い。
【００２５】
上述したアダプタ２によれば、アダプタ２を取り付けた冷房専用機１０１（図２）の配管設計が、四方切替弁８を取り付けた冷暖兼用機１００（図１）の配管設計と同じで良く、配管設計を共通化することができる。よって、四方切替弁８に代えてアダプタ２を取り付けるだけで、冷房専用機１０１を得ることができる。このため、冷暖兼用機１００及び冷房専用機１０１の両方の製造に関する全体のコストを低減することができる。しかも、冷房専用機１０１に関しては、安価で製造可能なアダプタ２を用いるので、冷房専用機１０１の製造に関するコストも低減される。
【００２６】
更に冷房専用機１０１に関して、第１及び第２の管２１，２２が一体化されているので、第１乃至第４の配管５１〜５４の自由度が減少する。よって、第１乃至第４の配管５１〜５４について、圧縮機１や第１及び第２の熱交換器６１，６２で生じる振動に対する強度を高めることができる。
【図面の簡単な説明】
【００２７】
【図１】四方切替弁を備える冷暖兼用機１００を概念的に示した図である。
【図２】本発明の実施の形態にかかるアダプタを備える冷房専用機を概念的に示した図である。
【図３】アダプタを具体的に示した斜視図である。
【符号の説明】
【００２８】
１  圧縮機
２  アダプタ
８  四方切替弁（切替部）
１１  吸入口
１２  吐出口
２１，２２  第１及び第２の管
５１〜５４  第１乃至第４の配管
６１，６２  第１及び第２の熱交換器
５１１〜５４１  一端
５１２〜５４２  他端
【図１】
2009236473.tif 000003
【図２】
2009236473.tif 000004
【図３】
2009236473.tif 000005